(57)【要約】      （修正有）【課題】化粧品などの試供品を収納するとともに、商品の広告・宣伝や使用方法などの説明を印刷表示できる十分なスペースを有し、取扱が便利で、外観美粧性に優れる試供品用紙製収納ケースを提供する。【解決手段】一枚の紙製ブランクを順次折り曲げて形成され、前記紙製ブランクは方形状の主パネル１の左右の縁部に折り線を介して連設された側面板２，３と、前記側面板２，３の主パネルと接する縁部と対向する側の縁部に折り線を介して連設された第１副パネル４、第２副パネル５と、前記主パネル１の上下の縁部に折り線を介して連設された第３副パネル６、第４副パネル７と、前記第１〜第４副パネル４〜７のうち少なくとも一つの副パネルの前記主パネル１又は前記側面板２，３のいずれとも接していない縁部に折り線を介して連設した収納片８とで構成され、前記収納片８を折り線で折り返し、これと対向する副パネルとの間で収納部を形成する。【選択図】図１
0003144932.tif 000002
【実用新案登録請求の範囲】
【請求項１】
一枚の紙製ブランクを、折り線を介して順次折り曲げて形成される試供品用紙製収納ケースであって、
前記紙製ブランクは方形状の主パネルの左右の縁部に折り線を介して連設された側面板と、
前記側面板の主パネルと接する縁部と対向する側の縁部に折り線を介して連設された第１、第２の副パネルと、
前記主パネルの上下の縁部に折り線を介して連設された第３、第４の副パネルと、
前記第１〜第４の副パネルのうち少なくとも一つの副パネルの前記主パネル又は前記側面板のいずれとも接していない縁部に折り線を介して連設した収納片とで構成され、
前記収納片を折り線で折り返し、これと対向する副パネルとの間で収納部を形成することを特徴とする試供品用紙製収納ケース。
【請求項２】
前記収納片は、前記第３または第４副パネルの少なくとも一つの副パネルの左右両方の縁部に折り線を介して連設され、
前記収納片を折り線で折り返して重ね合わせ、これと対向する副パネルとの間で収納部を形成することを特徴とする請求項１に記載された試供品用紙製収納ケース。
【請求項３】
前記収納片は、前記第１〜第４の副パネルのうち少なくとも一つの副パネルの前記主パネル又は前記側面板のいずれとも接していない縁部に折り線を介して連設され、さらに前記収納片は試供品を挿入し保持するための挿入口を有し、かつ前記収納片を折り線で折り返した際に対向する副パネルと同じ大きさか又は小さいことを特徴とする請求項１に記載された試供品用紙製収納ケース。
【請求項４】
前記収納片は、前記第１〜第４の副パネルのうち少なくとも一つの副パネルの前記主パネル又は前記側面板のいずれとも接していない縁部に折り線を介して連設され、さらに前記収納片は矩形または矩形に近似した形状であり、かつ前記収納片を折り返した際に対向する副パネルよりも短い上下幅であることを特徴とする請求項１に記載された試供品用紙製収納ケース。
【請求項５】
前記第１、第２の副パネルを内側へ折り曲げたときに、互いに係合可能な係止手段を設けてなることを特徴とする請求項１〜４のいずれかに記載された試供品用紙製収納ケース。
【請求項６】
前記主パネルの下縁部に折り線を介して連設された第４の副パネルの左右幅が、主パネルの左右幅よりも小さいことを特徴とする請求項１〜５のいずれかに記載された試供品用紙製収納ケース。
【考案の詳細な説明】
【技術分野】
【０００１】
本考案は、化粧品などの試供品を収納する試供品用紙製収納ケースに関し、さらに詳細には、商品の広告・宣伝や使用方法などの説明を印刷表示できる十分なスペースを有するパネル部を有し、ケースの閉鎖時においてはコンパクトで、ケースの開封時においてはパネル部が展開して広い面積の印刷表示を可能とする、取り扱いと外観美粧性などに優れる試供品用紙製収納ケースに関する。
【背景技術】
【０００２】
従来、化粧品、医薬部外品、食品等の新製品の宣伝は種々のメディアを通して行われるが、一部には試供品をエンドユーザーに直接手渡しあるいは配送して、実際の使用体験をとおして商品特性を訴求し、印象付けを行い、実際の購買に結び付ける方法が採られている。
【０００３】
特許文献１には、パネルと試供品収納部が一枚の板紙ブランクで一体成形され、コンパクトで、取り扱いと外観に優れた試供品ホルダーが開示されている。
また、特許文献２には、爪楊枝や小物類を収納し、手貼り作業及び機械貼り作業を不要とし、コンパクト化も可能な折畳み式物入れが開示されている。
【０００４】
【特許文献１】特開平９−１６９３２９号公報
【特許文献２】実開昭６２−３０９７５号公報
【考案の開示】
【考案が解決しようとする課題】
【０００５】
しかし、前述した試供品ホルダーや折畳み式物入れには商品（試供品）の広告・宣伝や使用方法などの説明を印刷表示できる十分なスペースを有していなかった。
従って、本考案は、上記の問題点に鑑みてなされたもので化粧品などの試供品を収納するとともに、商品の広告・宣伝や使用方法などの説明を印刷表示できる十分なスペースを有することが可能な、取扱が便利で、外観美粧性に優れる試供品用紙製収納ケースを提供することを目的とする。
【課題を解決するための手段】
【０００６】
前記課題を達成するために本考案（請求項１に係る考案）の試供品用紙製収納ケースにおいては、
一枚の紙製ブランクを、折り線を介して順次折り曲げて形成される試供品用紙製収納ケースであって、
前記紙製ブランクは方形状の主パネルの左右の縁部に折り線を介して連設された側面板と、前記側面板の主パネルと接する縁部と対向する側の縁部に折り線を介して連設された第１、第２の副パネルと、前記主パネルの上下の縁部に折り線を介して連設された第３、第４の副パネルと、前記第１〜第４の副パネルのうち少なくとも一つの副パネルの前記主パネル又は前記側面板のいずれとも接していない縁部に折り線を介して連設した収納片とで構成され、前記収納片を折り線で折り返し、これと対向する副パネルとの間で収納部を形成する。
【０００７】
請求項１の好ましい態様としては、請求項２以下の記載の通りとなる。すなわち、本考案においては、前記収納片は、前記第３または第４副パネルの少なくとも一つの副パネルの左右両方の縁部に折り線を介して連設され、前記収納片を折り線で折り返して重ね合わせ、これと対向する副パネルとの間で収納部を形成する構成とすることが好ましい。
【０００８】
また、本考案においては、前記収納片は、前記第１〜第４の副パネルのうち少なくとも一つの副パネルの前記主パネル又は前記側面板のいずれとも接していない縁部に折り線を介して連設され、さらに前記収納片は試供品を挿入し保持するための挿入口を有し、かつ前記収納片を折り線で折り返した際に対向する副パネルと同じ大きさか又は小さいことを特徴とする構成とすることが好ましい。
【０００９】
また、本考案においては、前記収納片は、前記第１〜第４の副パネルのうち少なくとも一つの副パネルの前記主パネル又は前記側面板のいずれとも接していない縁部に折り線を介して連設され、さらに前記収納片は矩形または矩形に近似した形状であり、かつ前記収納片を折り返した際に対向する副パネルよりも短い上下幅である構成とすることが好ましい。
【００１０】
また、本考案においては、前記第１、第２の副パネルを内側へ折り曲げたときに、互いに係合可能な係止手段を設ける構成とすることが好ましく、さらに前記主パネルの下縁部に折り線を介して連設された第４の副パネルの左右の幅が、主パネルの左右の幅よりも小さい構成とすることが好ましい。
【考案の効果】
【００１１】
請求項１の考案によれば、主パネルの左右縁部には厚みを持たせるための側面板と共に、第１、第２副パネルが連設され、さらに主パネルの上下縁部には第３、第４副パネルが連接されるため、商品（試供品）の広告・宣伝や使用方法などの説明を印刷表示できる十分なスペースを設けることができる。また、ケースの閉鎖時においてはコンパクトで、ケースの開封時においてはパネル部が展開して広い面積の印刷表示を可能とし、試供品の保護性、取り扱い性、外観美粧性、造形性、アイキャッチ効果の点に優れる試供品用紙製収納ケースが得られる。また、４つある副パネルにはそれぞれ試供品を収納する収納部を設けることが可能であるため、異なる種類の試供品を別の場所に分けて収納することもできる。
【００１２】
請求項２の考案によれば、４つある副パネルのうち、主パネルの上下縁部に折り線を介して連設された２つの副パネルのうちいずれか一つの左右縁部それぞれに、折り線を介して延設した２つの収納片を有し、それぞれの収納片を折り線で折り返して先端部を重ね合わせて、重ね合わせ部を接着し、これと対向する副パネルとの間で収納部を形成する。２つの収納片の長さと重ね合わせ幅を調整することにより、試供品に適した大きさの空間を形成することが可能となり、厚みが数ｍｍ〜１ｃｍ程度の試供品を収納するのに好適である。
【００１３】
請求項３の考案によれば、４つある副パネルのうち少なくとも一つのパネルにおいて、主パネル又は前記側面板のいずれとも接していない縁部に折り線を介して延設した収納片を有し、収納片はこれを折り線で折り返した際に対向する副パネルと同じ大きさか又は小さくし、かつ試供品を挿入し保持するための挿入口を設ける。このため、ケースの折畳み性を保ちつつ、試供品を確実に保持することができる。
【００１４】
請求項４の考案によれば、４つある副パネルのうち少なくとも一つのパネルにおいて、主パネル又は前記側面板のいずれとも接していない縁部に折り線を介して延設した収納片を有し、前記収納片は、前記収納片を折り返した際に対向する副パネルよりも小さく、かつ前記収納片は少なくとも１つの端部を除いた他の端部をこれと対向する副パネルと収納部を形成する。このため、ケースの折畳み性を保ちつつ、試供品を確実に保持することができる。
【００１５】
請求項５の考案によれば、主パネルの左右に設けられた２つの副パネルを内側へ折り曲げたときに互いに係合可能な係止手段を設ける。これにより、ケースを確実に閉鎖することができる。
【００１６】
請求項６の考案によれば、前記主パネルの下縁部に折り線を介して連設された副パネルの左右の幅が、主パネルの左右の幅よりも小さい構成とするため、本考案の試供品用紙製収納ケースをよりコンパクトに折り畳みすることができる。
【考案を実施するための最良の形態】
【００１７】
本考案の試供品用紙製収納ケースは、一枚の紙製ブランクを折り線を介して順次折り曲げて得られ、方形状の主パネルの上下左右に側面板と副パネルを十字形に配置する。はまた、主パネルおよび第１〜第４の副パネルの内外面には商品の広告や説明を記載できるスペースを有し、かつ、副パネルに折り線を介して連設された収納片を折り返して形成される収納部に試供品等を収納する。
【００１８】
以下、本考案の試供品用紙製収納ケースの実施の形態を、図面を参照しながら詳細に説明するが、本考案はこれに限定されて解釈される物ではなく、本考案の範囲を逸脱しない限りにおいて、当業者の知識に基づいて、種々の変形、修正、改良を加え得るものである。
【００１９】
図１は、本考案の一実施例としての試供品用紙製収納ケースを構成する紙製ブランクの展開図である。まず、この試供品用紙製収納ケースの紙製ブランクＡは、図１で示すように、方形状の主パネル１に折り線を介して連設する側面板２、３が主パネル１の左右の縁部に折り線を介して連設され、前記側面板２、３にはそれぞれ折り線を介して第１副パネル４、第２副パネル５が連接される。主パネルは左右幅と上下幅がほぼおなじ方形状であることが望ましいが、本考案の試供品用紙製収納ケースの折畳み性を損なわない限り、左右幅と上下幅が異なっていても良い。また、主パネル１の上下の縁部には、折り線を介して第３副パネル６、第４副パネル７が連接され、第４副パネル７の左右の縁部には折り線を介して収納片８ａ１、８ａ２が連設される。収納片８ａ１、８ａ２は収納部を形成できれば任意の形状とすることができる。
【００２０】
また、第１副パネル４と、第２副パネル５を内側へ折り曲げたときに、互いに係合可能な係止手段として、第２副パネル５と側面板３とを連設する折り線３０に切り込み線３ｂを設け、その切り込み線３ｂに連通する半円状の切り欠き部３ａを側面板３の所定の位置に備えており、さらに第１副パネル４の左縁部に、前記切り込み線３ｂに連通する半円状の切り欠き部３ａに差し込み係止する舌片４ａを、切り込み線４ｂを設けて延設する。また、本考案においては、前記係止手段を図３に示すように構成とすることもできる。図３においては、第１副パネル４、第２副パネル５を内側へ折り曲げたときに、互いに係合可能な係止手段として、第１副パネル４と側面板２とを連設する折り線２０に切り込み線２ｂを設け、その切り込み線２ｂに連通する半円状の切り欠き部２ａを側面板２の所定の位置に備えており、さらに第２副パネル５の右縁部に、前記切り込み線２ｂに連通する半円状の切り欠き部２ａに差し込み係止する舌片５ａを、切り込み線５ｂを設けて延設する。なお係止手段としてはこれらに限定される物ではなく、例えば、第１副パネルと第２副パネルを疑似接着剤等で糊付けしても良い。また、第２副パネル上に切り込みを設け、これに第１副パネル左縁部に設けた舌片や、第１副パネルの左縁部自身を差し込み、係止手段とすることもできる。
【００２１】
本考案の試供品用紙製収納ケースは、例えば上記の紙製ブランクＡを用いて、通常の製函機を用いて組み立てられる。図２は、本考案の一実施例として試供品用紙製収納ケースを組み立てる手順を示す斜視図である。まず、折り線を介して、第４副パネル７を内側に折り曲げる。次に収納片８ａ１と収納片８ａ２を折り曲げて重ね合わせて収納部９を形成し、収納部９に、化粧品などの試供品を収納する。このとき、収納片８ａ１と８ａ２との重ね合わせ部や、収納片８ａ１、８ａ２と第４副パネル７の一部を糊などで接着し収納部９を袋状に形成すると、収納部９に試供品等を確実に保持できる。次に第３副パネル６を第４副パネル７を覆うように内側に折り曲げ、さらに第２副パネル５、第１副パネル４を順に内側に折り曲げる。最後に第１副パネル４に折り線４０を介して延設された舌片４ａを、第２副パネル５と側面板３とを連接する折り線３０に設けた切り込み線３ｂに連通する半円状の切り欠き部３ａに差し込み係止して、本考案の試供品用紙製収納ケースを得ることができる。
【００２２】
本考案で得られる試供品用紙製収納ケースにおいて、収納部９の他の形態の一例を示した紙製ブランクの展開図を図４、図６、図８に示す。また、収納部の組み立て手順を示す斜視図を図５、図７、図９に示す。
【００２３】
図４においては第２副パネルの右縁部に折り線５０を介して挿入口１０を有する収納片８ｂを設ける。図５に示すように、収納片８ｂは、折り線５０を介して折り返され、第２副パネル５との間に収納部９を形成する。収納片８ｂは第２副パネルと同じ大きさか小さければいずれの形状であってもよいが、収納片を折り返した際、対向する副パネル５のいずれの片からも飛び出さないようにすることが望ましい。また、収納片８ｂと第２副パネル５は糊付け部１１に塗布された接着剤により貼り合わされる。糊付け部は任意の形状で設けることができるが、糊付け部挿入口から挿入された試供品等が挿入口下部に保持できるように設けることが望ましい。
【００２４】
図６においては、第１副パネルの下縁部に折り線４１を介して矩形状の収納片８ｃを設ける。収納片８ｃは矩形または矩形に近似した形状であり、かつ前記収納片を折り返した際に対向する副パネルよりも短い上下幅であることが望ましいが、収納部９を形成できれば、任意の形状とすることができる。図７に示すように、収納片８ｃは、折り線４１を介して折り返され、第１副パネル４との間に収納部９を形成する。収納片８ｃと第１副パネル４は糊付け部１１に塗布された接着剤により貼り合わされる。糊付け部は任意の形状に設けることができるが、試供品等が収納部に保持できるように設けることが望ましい。
【００２５】
図８においては、第４副パネルの右縁部に折り線７０を介して矩形状の収納片８ｄを設ける。収納片８ｄは矩形または矩形に近似した形状であり、かつ前記収納片を折り返した際に対向する副パネルよりも短い上下幅であることが望ましいが、収納部９を形成できれば、任意の形状とすることができる。図９に示すように、収納片８ｄは、折り線７０を介して折り返され、第４副パネル７との間に収納部９を形成する。収納片８ｄと第４副パネル７は糊付け部１１に塗布された接着剤により貼り合わされる。糊付け部は任意の形状で設けることができるが、試供品等が収納部に保持できるように設けることが望ましい。
【００２６】
以上で説明したように、本考案の試供品用紙製収納ケースは一枚のブランクを折り畳んで出来上がるもので、ブランク基材には板紙が使用されるが、印刷物としての印刷適性と同時に試供品収納部を構成する包装材料としての特性が要求される。板紙には広範囲のものが使用されるが、ガラス瓶等を使用した試供品を収納し、保護する場合には、剛度があり、引っ張り強度、引き裂き強度等の面で優れたアイボリー系、カード系、特板系、等の板紙が好適に使用される。また、板紙の坪量は試供品の大きさによって変わるが、一般に２００〜３５０ｇ／ｍ2の範囲が好ましい。また、パネル板の内外面には、広告・宣伝、使用方法の説明等に関した印刷が行われるが、その方法は、オフセット、グラビア、フレキソ、シルクスクリーン等の公知のいかなる印刷方法を用いてもよい。さらに、印刷部分には、オーバーコート、艶出し、エンボス等の後加工も自由に行うことができる。収納部の接着等には糊代に強接着タイプで初期接着力の高い接着剤（糊）を部分コートして使用することが好ましい。本考案による試供品用紙製収納ケースは糊代で貼り合わされたフラットな状態でユーザーに供給されるが、使用個数が少ない場合は、糊代に粘着加工を施した試供品用紙製収納ケースを供給し、ユーザー側で糊代表面の剥離紙を取り除いて貼り合わせることもできる。
【００２７】
また、前記主パネル及び第１〜第４副パネルの内外面には商品の広告・宣伝や使用方法などの説明を印刷表示できる十分なスペースを有し、さらに、前記主パネルの内面、及び第１〜第４副パネルの前記収容部を設けていない面に、他の試供品等を糊付けすることもできる。
【００２８】
なお、本考案の試供品用紙製収納ケースは、化粧品のみならず、医薬部外品、食品などの様々の新商品などの試供品を収納して、商品の広告・宣伝、使用法などの説明等に関した印刷物を一体化し、エンドユーザーに配布・配送して、実際の使用体験を通して商品特性を訴求し、印象付けを行い、実際の購買に結び付けることができる。
【図面の簡単な説明】
【００２９】
【図１】本考案の試供品用紙製収納ケースブランクの一例を示す展開図である。
【図２】本考案の試供品用紙製収納ケースの組み立て説明図の一例を示す斜視図である。
【図３】本考案の試供品用紙製収納ケースのブランクの他の一例を示す展開図である。
【図４】本考案の試供品用紙製収納ケースのブランクの他の一例を示す展開図である。
【図５】本考案の試供品用紙製収納ケースの収納部の他の一例を示す斜視図である。
【図６】本考案の試供品用紙製収納ケースのブランクの他の一例を示す展開図である。
【図７】本考案の試供品用紙製収納ケースの収納部の他の一例を示す斜視図である。
【図８】本考案の試供品用紙製収納ケースのブランクの他の一例を示す展開図である。
【図９】本考案の試供品用紙製収納ケースの収納部の他の一例を示す斜視図である。
【符号の説明】
【００３０】
１・・・主パネル
２、３・・・側面板
２ａ、３ａ・・・半円形状の切り欠き部
２ｂ、３ｂ・・・切り込み線
４・・・第１副パネル
５・・・第２副パネル
４ａ、５ａ・・・舌片
４ｂ、５ｂ・・・切り込み線
６・・・第３副パネル
７・・・第４副パネル
８ａ１、８a２、８ｂ、８ｃ、８ｄ・・・収納片
９・・・収納部
１０・・・挿入口
１１・・・糊付け部
１２・・・試供品
２０、３０、４０、４１、５０、７０・・・折り線
Ａ１、Ａ２、Ａ３、Ａ４・・・試供品用紙製収納ケースを構成する紙製ブランク
Ｂ・・・試供品用紙製収納ケース
【図１】
0003144932.tif 000003
【図２】
0003144932.tif 000004
【図３】
0003144932.tif 000005
【図４】
0003144932.tif 000006
【図５】
0003144932.tif 000007
【図６】
0003144932.tif 000008
【図７】
0003144932.tif 000009
【図８】
0003144932.tif 000010
【図９】
0003144932.tif 000011